(57)【特許請求の範囲】
【請求項１】
ベースプレートと、
前記ベースプレートに交換可能に付着され、第１流体ポートが形成された第１端部及び第２流体ポートが形成された第２端部を有する一つ以上のフィルタと、
前記フィルタの第１端部を分離可能な状態で支持し、前記フィルタの第１流体ポートに連結されるコネクタポートを有する第１コネクタ手段と、
前記第１コネクタ手段から、フィルタを収容するに十分な距離をおいて配置され、前記フィルタの第２流体ポートと結合されるボアを有する第２コネクタ手段と、
伸長位置と収縮位置との間で移動可能に前記第２コネクタ手段のボアに挿入され、伸長位置では、前記フィルタの第２流体ポートに連結されて、フィルタと第２コネクタ手段との連通を許容し、収縮位置では、前記フィルタの第２流体ポートから分離されて、フィルタと第２コネクタとの流体連通を遮断し、軸方向に流体通路を備えるスプールと、
前記スプールを伸長位置と収縮位置との間で摺動させるスプール操作手段とを含むことを特徴とする浄水機。
【請求項２】
前記第１コネクタ手段が、ピボット軸を中心にフィルタ使用位置とフィルタ交換位置との間で回動し得るように、前記ベースプレートに設けられる回転型コネクタであり、前記第２コネクタが前記ベースプレートに固設される固定型コネクタであることを特徴とする請求項１に記載の浄水機。
【請求項３】
前記回転型コネクタはベースプレートの上部に設けられ、前記固定型コネクタはベースプレートの下部に設けられ、前記フィルタは前記回転型コネクタと前記固定型コネクタとの間に付着されることを特徴とする請求項２に記載の浄水機。
【請求項４】
前記スプール操作手段は、前記ベースプレートヒンジ軸を中心に回転可能に結合される作動レバーと、一端は前記スプールに、他端は前記作動レバーに関節を介して連結されるリンクと、前記作動レバーに固定的に付着されるドアとから構成されることを特徴とする請求項１又は２に記載の浄水機。
【請求項５】
前記固定型コネクタは、原水を導入するための給水通路と浄水を排出するための排水通路を備えていることを特徴とする請求項３に記載の浄水機。
【請求項６】
前記フィルタは、それぞれ上部流体ポートと下部流体ポートを有する第１ないし第４の円筒形フィルタを含み、前記第１フィルタの下部流体ポートは前記固定型コネクタの給水通路に連結され、前記第１フィルタの上部流体ポートと第２フィルタの上部流体ポートは前記回転型コネクタを通じて互いに連通し、前記第２フィルタの下部流体ポートと前記第３フィルタの下部流体ポートは前記固定型コネクタを通じて互いに連通し、前記第３フィルタの上部流体ポートと前記第４フィルタの上部流体ポートは前記回転型コネクタを通じて互いに連通し、前記第４フィルタの下部流体ポートは前記固定型コネクタの排水通路に連結されることを特徴とする請求項５に記載の浄水機。
【請求項７】
前記フィルタを前記ベースプレートに固定させるフィルタホルダーを更に含むことを特徴とする請求項１ないし３のいずれかに記載の浄水機。
【請求項８】
前記回転型コネクタは互いに独立的に回動し得る複数の単位コネクタからなることを特徴とする請求項３に記載の浄水機。
【請求項９】
前記スプールは、収縮位置にあるとき、前記第２コネクタから原水が漏出されることを防止し得る構造になったことを特徴とする請求項１ないし３のいずれかに記載の浄水機。
【請求項１０】
前記第１フィルタが沈殿フィルタであり、前記第２フィルタが前方炭素フィルタであり、前記第２フィルタが逆浸透圧フィルタであり、前記第４フィルタが後方炭素フィルタであることを特徴とする請求項６に記載の浄水機。
【請求項１１】
前記固定型コネクタの排水通路を通じて排出される浄水を貯蔵するための貯水槽を更に含むことを特徴とする請求項１０に記載の浄水機。
【発明の詳細な説明】
【０００１】
【発明の属する技術分野】
本発明はフィルタの交換が容易な浄水機に関するものである。
【０００２】
【従来の技術】
水質汚染のため、各家庭又は各食堂などに供給される水道水はそのままで飲用し難い実情に至った。そのため、各家庭又は各食堂などでは、汚染された水（以下、“原水”と略称する）を、飲用するに適した水（以下、“浄水”と略称する）に浄化させる浄水機を備えることが一般的である。
【０００３】
このような浄水機は、原水を濾過する多数のフィルタを有しており、これらのフィルタは、原水が順次通過し得るように、互いに直列に連結されている。一方、フィルタは、水の汚染程度又は濾過すべき水量によって、周期的に交換されるように構成される。汚染されたフィルタは、浄化能力が低下し、細菌の棲息場所を提供するなど、水の汚染度を却って増加させるので、浄水機のフィルタは必ず周期的に交換しなければならない。
【０００４】
【発明が解決しようとする課題】
しかし、従来の浄水機はフィルタを交換し難い問題点があった。すなわち、従来のフィルタは、このフィルタの入口と出口に螺合される別途の連結具により互いに連結されるが、交換周期の異なる多数のフィルタを交換するためには、螺合されている連結具の両端をフィルタの入口と出口から一つ一つ解体した後、新しいフィルタに交換してから、再度連結具の両端をフィルタの入口と出口に螺合させなければならない欠点があった。特に、フィルタを交換する際は、浄水機に流入する原水の流入ロを必ず遮断した状態でフィルタを交換しなければならないが、そのような作業も不便であった。一方、このような欠点のため、各家庭では、浄水機管理業者を選定してフィルタの交換を依頼しているのが実情であり、これが浄水機の維持、管理費用を上昇させる原因となっている。
【０００５】
本発明は前述したような従来の諸般問題点を解決するためになされたもので、その目的はフィルタの交換が容易に行えるように構成された浄水機を提供することにある。
【０００６】
本発明の他の目的は、原水の流入口を遮断しなくてもフィルタを交換し得るように構成された浄水機を提供することにある。
【０００７】
【課題を解決するための手段】
このような目的を達成するため、本発明の特徴は、ベースプレートと、前記ベースプレートに交換可能に取り付けられ、第１流体ポートが形成された第１端部及び第２流体ポートが形成された第２端部を有する一つ以上のフィルタと、前記フィルタの第１端部を分離可能な状態で支持し、前記フィルタの第１流体ポートに連結されるコネクタポートを有する第１コネクタ手段と、前記第１コネクタ手段から、フィルタを収容するに十分な距離をおいて配置され、前記フィルタの第２流体ポートと結合されるボアを有する第２コネクタ手段と、伸長位置と収縮位置との間で移動可能に前記第２コネクタ手段のボアに挿入され、伸長位置では、前記フィルタの第２流体ポートに連結されて、フィルタと第２コネクタ手段との連通を許容し、収縮位置では、前記フィルタの第２流体ポートから分離されて、フィルタと第２コネクタとの流体連通を遮断し、軸方向に流体通路を備えるスプールと、前記スプールを伸長位置と収縮位置との間で摺動させるスプール操作手段とを含む浄水機にある。
【０００８】
【発明の実施の形態】
以下、本発明による浄水機の好ましい実施例を添付図面に基づいて詳細に説明する。
【０００９】
まず、図１ないし図３に示すように、本発明による浄水機は本体１０を有し、本体１０は浄水室１２と貯水槽１４を備えている。浄水室１２はドア１５により開放又は閉鎖され、その内部に多数のフィルタが配置されている。そして、貯水槽１４は、上部に配置されるカバー１６により開放又は密閉され、その内部に、フィルタにより浄化された浄水が貯水される。貯水槽１４の浄水は、本体１０の前面に設けられた排出バルブ１７を通じて外部に排出できる。
【００１０】
一方、浄水室１２には、ベースプレート１８が垂直に設けられ、このベースプレート１８には、多数のフィルタ２２、２４、２６、２８が着脱可能に配置されている。これをより詳細に説明すると、ベースプレート１８の上部及び下部には、フィルタ２２、２４、２６、２８の両端を分離可能に支持するとともに、外部の原水が順次通過し得るように、前記フィルタ２２、２４、２６、２８を順次に連結させる第１コネクタ手段と第２コネクタ手段がそれぞれ配置されている。
【００１１】
第１コネクタ手段は、ベースプレート１８の上部に水平方向に所定間隔を置いて設けられる第１ブラケット３０、第２ブラケット３２、第３ブラケット３４、第４ブラケット３６及び第５ブラケット３８と、これらブラケット３０、３２、３４、３６、３８の間にピボット軸を中心に回転可能に設置される第１上部コネクタ４０、第２上部コネクタ４２、第３上部コネクタ４４及び第４上部コネクタ４６からなる。そして、第２コネクタ手段は、ベースプレート１８の下部に固設される第１下部コネクタ５０、第２下部コネクタ５２、第３下部コネクタ５４及び第４下部コネクタ５６からなる。
【００１２】
第１コネクタ手段の上部コネクタ４０、４２、４４、４６と第２コネクタ手段の下部コネクタ５０、５２、５４、５６は互いに対向するように配置され、対向している上部コネクタ４０、４２、４４、４６と下部コネクタ５０、５２、５４、５６はそれぞれ１組をなし、各フィルタ２２、２４、２６、２８の両端を支持しながらフィルタ２２、２４、２６、２８の内部に原水を順次流通させる。
【００１３】
以下では、１組をなす上部コネクタ４０、４２、４４、４６と下部コネクタ５０、５２、５４、５６を組別に詳細に説明する（便宜上、第１上部コネクタ４０と第１下部コネクタ５０を第１組、第２上部コネクタ４２と第２下部コネクタ５２を第２組、第３上部コネクタ４４と第３下部コネクタ５４を第３組、第４上部コネクタ４６と第４下部コネクタ５６を第４組とする）。
【００１４】
まず、図２及び図５に示すように、第１組をなす第１上部コネクタ４０と下部コネクタ５０は沈殿フィルタである1次フィルタ２２の上部と下部を維持するもので、第１下部コネクタ５０には、両側が開放されたボア５０ａが垂直に形成され、外部の原水を浄水機の内部に流入させる給水通路５０ｂが形成されている。給水通路５０ｂとボア５０ａは互いに連通するように構成される。そして、ボア５０ａにはスプール５１が移動可能に結合される。スプール５１は上部の“伸張位置”と下部の“収縮位置”間で上下往復運動し得るように構成される。このようなスプール５１は、その下部が第１下部コネクタ５０の下面に突出するように構成され、特に、“伸張位置”に移動するにつれて、その上部が第１下部コネクタ５０の上面に突出するように構成されて、１次フィルタ２２の第２流体ポート２２ａに挿合される。一方、スプール５１には、互いに連通する垂直流体通路５１ａと水平流体通路５１ｂが形成されている。水平流体通路５１ｂは、スプール５１が上昇して最上端に至ったとき、給水通路５０ｂと連通するように構成されて、給水通路５０ｂに流入した原水を１次フィルタ２２に移送させる。ここで、スプール５１の外周面には多数のゴムリングが配置され、このゴムリングはボア５０ａの内面と密着されることにより、給水通路５０ｂ、水平流体通路５１ｂ及び垂直流体通路５１ａに沿って流れる原水が外部に漏水されないようにしている。
【００１５】
第１上部コネクタ４０は、１次フィルタ２２の第１流体ポート２２ｂに挿合されるコネクタポート４０ａと、このコネクタポート４０ａに連通する排出通路４０ｂとを備えている。コネクタポート４０ａと排出通路４０ｂは１次フィルタ２２から排出される原水を第２上部コネクタ４２に移送する。
【００１６】
そして、第２組をなす第２上部コネクタ４２と第２下部コネクタ５２は前方炭素フィルタである２次フィルタ２４の上部と下部を支持するもので、第２上部コネクタ４２には、第１上部コネクタ４０の排出通路４０ｂと連通する流入通路４２ａが形成されている。ここで、第２上部コネクタ４２と第１上部コネクタ４０の一側を支持する第２ブラケット３２には、第１上部コネクタ４０の排出通路４０ｂと第２上部コネクタ４２の流入通路４２ａを相互連通させる貫通孔３２ａが形成されている。そして、第２上部コネクタ４２には、２次フィルタ２４の入口２４ａに挿合されるコネクタポート４２ｂが形成されている。第２上部コネクタ４２は、流入通路４２とコネクタポート４２ｂを通じて、第１上部コネクタ４０から排出される原水を２次フィルタ２４に流入させる。
【００１７】
第２下部コネクタ５２には、両側が開放されたボア５２ａが垂直に形成されており、前記ボア５２ａと連通する排出通路５２ｂが形成されている。排出通路５２ｂとボア５２ａは互いに連通するように構成される。そして、ボア５２ａにはスプール５３が上下移動可能に挿入される。スプール５３は上部の“伸張位置”と下部の“収縮位置”との間で上下往復し得るように構成される。このようなスプール５３は、その下部が第２下部コネクタ５２の下面に突出するように構成され、特に、“伸張位置”に移動するにつれて、その上部が第２下部コネクタ５２の上面に突出するように構成されて、２次フィルタ３４の第２流体ポート２４ｂに挿合される。一方、スプール５３には、互いに連通する垂直流体通路５３ａと水平流体通路５３ｂが形成されている。水平流体通路５３ｂは、スプール５３が上昇して最上端に至ったとき、排出通路５２ｂに連通するように構成されて、２次フィルタ２４から排出される原水を第３下部コネクタ５４に移送する。
【００１８】
一方、第１下部コネクタ５０と第２下部コネクタ５２との間には原水遮断バルブ６０が設けられている。この原水遮断バルブ６０は、図５に示すように、本体１０に設けられた排出バルブ１７の開閉によって、原水の移送ライン上に生じる急激な圧力差を感知して、１次フィルタ２２に外部の原水が流入し得ないように事前に遮断する役目を果たす。このため、第２下部コネクタ５２に、浄水の最終排出ラインから分岐されるパイロットラインＰの浄水が待機し得るように、圧力室６２が形成され、圧力室６２の一側には、パイロットラインＰから流入される浄水の圧力変位によって左右に移動するダイアフラム６４が設けられ、ダイアフラム６４により左右に移動して第１下部コネクタ５０の原水給水通路５０ｂを開放するか遮断する作動ロッド６６が第１下部コネクタ５０に設けられた構成となっている。このような原水遮断バルブ６０は、浄水の急激な圧力差により発生する接続部の漏水、及び構成部品の損傷を事前に予防する。
【００１９】
次に、第３組をなす第３上部コネクタ４４と第３下部コネクタ５４は逆浸透圧フィルタである３次フィルタ２６の上部と下部を支持するもので、第３下部コネクタ５４には、両側が開放されたボア５４ａが垂直に形成され、かつ第２下部コネクタ５３の排出通路５２ｂと連通する流入通路５４ｂが形成されている。流入通と５４ｂとボア５４ａは互いに連通するように構成される。そして、ボア５４ａにはスプール５５が上下移動可能に挿入される。スプール５５は上部の“伸張位置”と下部の“収縮位置”との間で上下往復運動可能に構成される。このようなスプール５５は、その下部が第３下部コネクタ５４の下面に突出するように構成され、特に、“伸張位置”に移動するにつれて、その上部が第３下部コネクタ５０の上面に突出するように構成されて、３次フィルタ２６の第２流体ポート２６ａに挿合される。一方、スプール５５には、互いに連通する垂直流体通路５５ａと水平流体通路５５ｂが形成されている。水平流体通路５５ｂは、スプール５５が上昇して最上端に至ったとき、流入通路５４ｂと連通するように構成されて、前記流入通路５４ｂに流入した原水を３次フィルタ２６に移送する。
【００２０】
第３上部コネクタ４４は、３次フィルタ２６の第１流体ポート２６ｂ及び第３流体ポート２６ｃに挿合される第１コネクタポート４４ａ及び第２コネクタポート４４ｂと、第１コネクタポート４４ａと連通する第１排出通路４５ａ及び第２コネクタポート４４ｂと連通する第２排出通路４５ｂを備えている。第１コネクタポート４４ａと第１排出通路４５ａは３次フィルタ２６の第１流体ポート２６ｂから排出される原水を第４上部コネクタ４６に移送させるもので、第２コネクタポート４４ｂと第２排出通路４５ｂは３次フィルタ２６の第３流体ポート２６ｃから排出される原水を第４ブラケット３６の排出通路３６ａを通じて外部に排出させるものである。参考として、逆浸透圧浄水方式は、所定量の排出水を続けて外部に流出させることにより、逆浸透圧膜の寿命を延長することができる。したがって、３次フィルタ２６に所定量の原水を外部に排出させえるように、第３流体ポート２６ｃを形成したものである。一方、第２排出通路４５ｂには、図４に示すように、オリフィスブロック７０を配置して、３次フィルタ２６の第３流体ポート２６ｃから排出される排出水の流量を一定にした。オリフィスブロック７０は円筒形であり、その外周面に螺旋形オリフィス溝７２が形成される構成を有する。
【００２１】
終わりに、第４組をなす第４上部コネクタ４６と第４下部コネクタ５６は後方炭素フィルタである４次フィルタ２８の上部と下部を支持するもので、第４上部コネクタ４６には、第３上部コネクタ４４の第１排出通路４５ａと連通する流入通路４６ａが形成されている。ここで、第４上部コネクタ４６の一側を支持する第５ブラケット３８には、図４に示すように、第３上部コネクタ４４の第１排出通路４５ａと連結管Ｃを介して連通する連結通路３８ａが形成されており、この連結通路３８ａは第４上部コネクタ４６の流入通路４６ａと互いに連通するように構成される。そのうえ、第４上部コネクタ４６には、図２に示すように、４次フィルタ２８の第１流体ポート２８ａに挿合されるコネクタポート４６ｂが形成されている。第４上部コネクタ４６は、流入通路４６ａとコネクタポート４６ｂを通じて、第３上部コネクタ４４から排出される原水を４次フィルタ２８に流入させる。
【００２２】
第４下部コネクタ５６には、両側が開放されたボア５６ｂが垂直に形成されており、前記ボア５６ａと連通する排水通路５６ｂが形成されている。排水通路５６ｂとボア５６ａは互いに連通するように構成され、排水通路５６ｂは、多数のフィルタにより浄化された浄水を本体１０の貯水槽１４に排出させる。そして、ボア５６ａには、スプール５７が上下移動可能に挿入される。スプール５７は上部の“伸長位置”と下部の“収縮位置”との間で上下往復運動し得るように構成される。このようなスプール５７は、その下部が第４下部コネクタ５６の下面に突出するように構成され、特に、“伸長位置”に移動するにつれて、その上部が第４下部コネクタ５６の上面に突出するように構成されて、４次フィルタ２８の第２流体ポート２８ａに挿合される。一方、スプール５７には、互いに連通する垂直流体通路５７ａと水平流体通路５７が形成されている。水平流体通路５７ｂは、スプール５７が上昇して最上端に至ったとき、第４下部コネクタ５６の排水通路５６ｂと連通するように構成されて、４次フィルタ２８から排出される浄水を本体１０の貯水槽１４に排出させる。
【００２３】
一方、第４下部コネクタ５６には、図５に示すように、チェックバルブ８０が設けられている。このチェックバルブ８０は、排水通路５６ｂを通じて貯水槽１４に排出される浄水が逆流して、再び第４下部コネクタ５６に流入しえないようにする。このため、第３下部コネクタ５４の一側に作動室８２が形成され、作動室８２には、ガイドロッド８４とこのガイドロッド８４に一端が支持される加圧スプリング８６が配置され、この加圧スプリング８６により、浄水の流れとは反対方向に加圧されて排水通路５６ｂを遮断するボール８８が第４下部コネクタ５６に設けられる。
【００２４】
したがって、このような構成を有する上部コネクタ４０、４２、４４、４６と下部コネクタ５０、５２、５４、５６により、多数のフィルタ２２、２４、２６、２８は、外部から流入される原水が順次通過し得るように、直列に連結できるものである。特に、別途の連結具によらなくても、多数のフィルタ２２、２４、２６、２８が順次連結できる。したがって、外部から流入される原水は、順次連結されている前記フィルタ２２、２４、２６、２８を順次通過しながらきれいな水に浄化できるものである。
【００２５】
一方、ベースプレート１８にはフィルタ２０を固定させるホルダー１９が設けられ、このホルダー１９は、互いに対向するように構成されてフィルタ２２、２４、２６、２８の外面を取り囲む一対のフィンガー１９ａを備えている。フィンガー１９ａは弾性変形の可能なもので、フィルタ２２、２４、２６、２８の数によって多数対が形成される。
【００２６】
再び、図１及び図３に示すように、ベースプレート１８の下端には、前述した第１下部コネクタ５０、第２下部コネクタ５２、第３下部コネクタ５４、第４下部コネクタ５６に設けられるスプール５１、５３、５５、５７を“伸長位置”と“収縮位置”との間で上下移動させるスプール操作手段が設けられる。このスプール操作手段は、ベースプレート１８の下端に回転可能に軸支される多数の作動レバー９０と、一端は関節９５ａを介して作動レバー９０に、他端はスプール５１、５３、５５、５５、５７の下端に軸支される多数のリンク９２とからなる。
【００２７】
ここで、作動レバー９０は、ベースプレート１８の下端に取り付けられるヒンジプレート９３のヒンジ軸９４を中心に回転可能に設けられ、リンク９２は、その一端が関節９５ａの回動軸９５に軸支され、その他端がスプール５１、５３、５５、５７の下端の回転軸９６にそれぞれ回動可能に軸支される。一方、前記ヒンジ軸９４は回転軸９６の垂直下方に位置すべきであり、回動軸９５はヒンジ軸９４と回転軸９６との間に位置すべきである。これは、作動レバー９０を回転させることで、リンク９２がヒンジ軸９４と回転軸９６との間を近接させて、スプール５１、５３、５５、５７を下降させるためのものである。
【００２８】
このようなスプール操作手段は、前記スプール５１、５３、５５、５７を“伸長位置”と“収縮位置”との間で上下移動させることにより、フィルタ２２、２４、２６、２８の第２流体ポートからスプール５１、５３、５５、５７を離脱させるか、フィルタ２２、２４、２６、２８の第２流体ポートにスプール５１、５３、５５、５７を結合させて、フィルタ２２の２４、２６、２８の交換を容易にする。特に、スプール操作手段は、前記スプール５１、５３、５５、５７を下降させて、フィルタ２２、２４、２６、２８の第２流体ポートからスプール５１、５３、５５、５７を離脱させるとともに、スプール５１、５３、５５、５７の水平流体通路５１ｂ、５３ｂ、５５ｂ、５７ｂと各下部コネクタ５０、５２、５４、５６の流入通路又は排出通路を遮断させることにより、フィルタ２２、２４、２６、２８の交換時に要求される原水遮断の機能も同時に行える。
【００２９】
一方、本発明の実施例では、前記作動レバー９０をドア１５と一体的に構成したものとして示したが、これは、ドア１５を開放させるとともに、フィルタの第２流体ポートからスプール５１、５３、５５、５７を一斉に離脱させるか、フィルタの第２流体ポートにスプール５１、５３、５５、５７を一斉に結合させるためのものである。もちろん、作動レバー９０とドア１５をそれぞれ別に形成することもできる。
【００３０】
以上から分かるように、本発明の浄水機は第１コネクタ手段と第２コネクタ手段を備えることにより、別途の連結具によらなくても多数のフィルタ２２、２４、２６、２８を直列に配置し得るという利点を有する。特に、図６に示すように、ドア１５を回転させてフィルタ２８の底面からスプール５７を離脱させることにより、フィルタ２８の下部固定を解除し、フィルタ２８を上部コネクタ４６を中心に回転させた状態で、上部コネクタ４６のコネクタポート４６ｂからフィルタ２８を離脱させることにより、フィルタ２８の上部固定を解除して、前記フィルタ２８を上部コネクタ４６と下部コネクタ５６から易しく分離させることができる。もちろん、フィルタ２８を上部コネクタ４６と下部コネクタ５６に装着するときは、前述した過程を逆の順序で行うとよい。結果的に、スプール操作手段を用いてフィルタの下部と上部の固定を解除させることにより、フィルタの交換を容易にする。
【００３１】
前記実施例は本発明の好ましい実施例を説明したもので、本発明の適用範囲はこれに限定されるものではなく、同思想の範疇内で適宜変更可能なものである。
【００３２】
【発明の効果】
以上説明したように、本発明による浄水機は、第１コネクタ手段と第２コネクタ手段を備えることにより、別途の連結具によらなくても、多数のフィルタを同一平面上に直列に配置し得る利点を有する。特に、スプール操作手段を用いて、第２コネクタ手段に設置されたスプールを上下に移動させることにより、フィルタの第２流体ポートにスプールが選択的に結合するか離脱するようにして、フィルタの交換を容易にする利点を有する。また、スプールを収縮位置に下降させることにより、原水流入通路も同時に遮断されるように構成して、フィルタの交換時、原水流入路を別に遮断する不便も軽減する効果もある。
【図面の簡単な説明】
【図１】  本発明による浄水機の構成を示す分解斜視図である。
【図２】  図１の結合状態を示す断面図である。
【図３】  図２のＡ−Ａ線についての断面図である。
【図４】  図２のＢ−Ｂ線についての断面図である。
【図５】  図２のＣ−Ｃ線についての断面図である。
【図６】  本発明の要部であるスプール操作手段の作動を示す作動図である。
【図１】
0004222755.tif 000002
【図２】
0004222755.tif 000003
【図３】
0004222755.tif 000004
【図４】
0004222755.tif 000005
【図５】
0004222755.tif 000006
【図６】
0004222755.tif 000007